(57)【要約】【課題】  折りたたみ式携帯端末装置において、携帯端末装置の状態に応じて各種情報を好適に画面上に表示させる。【解決手段】  表面部に操作キーが配設された操作部側筐体と表示部側筐体とをヒンジ機構を介して連結し、操作部側筐体の表面部と表示部側筐体の表面部とを互いに対向させて操作部側筐体と表示部側筐体とを折り畳み可能な携帯端末装置において、表示部側筐体の表面部に各種情報を表示可能な第1表示手段を配設するとともに、操作部側筐体の裏面部にも各種情報を表示可能な第２表示手段を配設して、第１表示手段と第２表示手段との作動を制御することにより、携帯端末装置の状態に応じて第１表示手段と第２表示手段とに各種情報を好適に表示させる。【選択図】図１
2006166339.tif 000002
【特許請求の範囲】
【請求項１】
表面部に各種情報を表示可能な第１表示手段が配設された第１筐体と、表面部に操作キーが配設された第２筐体と、前記第１筐体と前記第２筐体とを連結するヒンジ機構とを有し、
前記ヒンジ機構により前記第１筐体の表面部と前記第２筐体の表面部とを互いに対向させて前記第１筐体と前記第２筐体とが折り畳み可能に支持された携帯端末装置において、
前記第２筐体の裏面部に配設されて各種情報を表示可能な第２表示手段と、
前記第１表示手段と前記第２表示手段との作動を制御する制御手段と、
を有することを特徴とする携帯端末装置。
【請求項２】
前記第１筐体と前記第２筐体とが折り畳まれた状態か否かを検出する折畳状態検出手段を有し、
前記制御手段は、前記折畳状態検出手段により、折畳状態と検出されると前記第１表示手段を非作動状態にするとともに前記第２表示手段を作動状態とする
ことを特徴とする請求項１記載の携帯端末装置。
【請求項３】
前記第１筐体の裏面部に、カメラが配設され、
前記制御手段は、前記カメラが作動されるカメラモードである場合、前記折畳状態検出手段により前記折畳状態が検出されると、前記第２表示手段に前記カメラの撮影画像を表示させ、前記折畳状態が検出されないと、前記第１表示手段に前記カメラの撮影画像を表示させる
ことを特徴とする請求項１又は２記載の携帯端末装置。
【請求項４】
前記制御手段は、前記カメラモードであって、且つ前記折畳状態検出手段により前記折畳状態が検出されない場合に、前記第２表示手段にも前記カメラの撮影画像を表示させる
ことを特徴とする請求項３記載の携帯端末装置。
【請求項５】
前記ヒンジ機構は、前記第１筐体と前記第２筐体との回転軸方向に前記第１筐体と前記第２筐体とを互いにスライドさせるスライド機構を有しており、前記第１筐体と前記第２筐体とを互いに前記回転軸方向へスライドさせた状態で、前記第１表示手段と前記第２表示手段とが略同一平面となるように前記第１筐体と前記第２筐体とを相対回転可能とする
ことを特徴とする請求項１乃至４記載の携帯端末装置。
【請求項６】
前記ヒンジ機構は、前記回転軸を複数有し、当該複数の回転軸が併設されている
ことを特徴とする請求項５記載の携帯端末装置。
【請求項７】
前記制御手段は、前記第１表示手段と前記第２表示手段とが略同一平面上に配設されるときに、前記第１表示手段と前記第２表示手段とを作動状態とする
ことを特徴とする請求項５又は６記載の携帯端末装置。
【請求項８】
前記制御手段は、前記第１表示手段と前記第２表示手段とが略同一平面上に配設されるときに、前記第１表示手段と前記第２表示手段とを１つの表示手段として前記各種情報を表示させる
ことを特徴とする請求項７記載の携帯端末装置。
【請求項９】
前記制御手段は、１つの情報を前記第１表示手段と前記第２表示手段とに分けて表示させる
ことを特徴とする請求項８記載の携帯端末装置。
【請求項１０】
前記１つの情報は、複数に分割可能に構成されており、
前記制御手段は、分割された前記１つの情報を前記第１表示手段と前記第２表示手段とに順次表示させる
ことを特徴とする請求項９記載の携帯端末装置。
【発明の詳細な説明】
【技術分野】
【０００１】
本発明は、携帯電話機などの携帯端末装置に関し、操作部側筐体と表示部側筐体とをヒンジ機構によって折り畳み可能に連結した折り畳み式携帯端末装置に関するものである。
【背景技術】
【０００２】
従来、携帯端末装置には、表面部に操作キー等を備えた操作部側筐体と表面部に各種情報を表示させるディスプレイ（表示手段）が配設された表示部側筐体とをヒンジ機構によって折り畳み可能に連結した折畳式携帯電話機などがある。この折畳式携帯電話機は、折り畳み時に操作部側筐体の表面部と対向する表示部側筐体の表面部にディスプレイが配設されており、操作部側筐体と表示部側筐体とを開いた開放状態では操作部側筐体の操作キーの入力操作に応じた入力内容などの各種情報が該ディスプレイに表示される。また、操作部側筐体と表示部側筐体とが折り畳まれた折畳状態において、時刻や着信案内などの各種情報を表示するために、表示部側筐体の裏面部にサブディスプレイ（表示手段）が配設されている。
【０００３】
また、特許文献１に開示されているように、折畳状態においてもより多くの情報を表示させるために、表示部側筐体のディスプレイ部分を反転可能に構成し、表示部側筐体のディスプレイ部分を反転させて折畳状態とした場合に、折畳状態でも表示部側筐体の表面部に配設されたディスプレイに各種情報を表示させるようにした携帯端末装置が知られている。
【特許文献１】特開２００２−３４４５９１号
【発明の開示】
【発明が解決しようとする課題】
【０００４】
しかしながら、表示部側筐体の一部を反転可能に構成された携帯端末装置は、携帯端末装置の状態を折畳状態と解放状態との間で切り換える際に、表示部側筐体のディスプレイ部分をその都度反転させる操作が必要となり、使用者にとって使い勝手が悪いといった問題がある。  
また、表示部側筐体の表面部と裏面部とにそれぞれディスプレイを配設しても、折畳状態と開放状態とのいずれの状態においても何れか一方のディスプレイを作動させて、この一方のディスプレイにのみで各種情報を表示させていたため、表示させる情報量に制約があった。
【０００５】
本発明は上述の点に鑑みてなされたものであり、その目的は、開放状態及び折畳状態においても、表示部側筐体の一部を回転させることなく、より多くの各種情報を表示可能とする携帯端末装置を提供することにある。
【課題を解決するための手段】
【０００６】
上記問題点を解決するため、本発明の携帯端末装置は、表面部に各種情報を表示可能な第１表示手段が配設された第１筐体と、表面部に操作キーが配設された第２筐体と、前記第１筐体と前記第２筐体とを連結するヒンジ機構とを有し、前記ヒンジ機構により前記第１筐体の表面部と前記第２筐体の表面部とを互いに対向させて前記第１筐体と前記第２筐体とが折り畳み可能に支持された携帯端末装置において、前記第２筐体の裏面部に配設されて各種情報を表示可能な第２表示手段と、前記第１表示手段と前記第２表示手段との作動を制御する制御手段と、を有することを特徴とする。  
よって、第１筐体と第２筐体とを折り畳んだ状態でも、第２筐体の裏面部に配置された第２表示手段に各種情報を表示させることができる。
【０００７】
また、前記第１筐体と前記第２筐体とが折り畳まれた状態か否かを検出する折畳状態検出手段を有し、前記制御手段は、前記折畳状態検出手段により、折畳状態と検出されると前記第１表示手段を非作動状態にするとともに前記第２表示手段を作動状態とすることを特徴とする。  
よって、第１表示手段の非作動により消費電力を抑制できるとともに、第２表示手段の作動により必要な各種情報を第２表示手段に表示させることができる。
【０００８】
また、前記第１筐体の裏面部に、カメラが配設され、前記制御手段は、前記カメラが作動されるカメラモードである場合、前記折畳状態検出手段により前記折畳状態が検出されると、前記第２表示手段に前記カメラの撮影画像を表示させ、前記折畳状態が検出されないと、前記第１表示手段に前記カメラの撮影画像を表示させることを特徴とする。  
よって、カメラモードを折畳状態で機能させる場合であっても、第２表示手段に撮影画像を表示することにより、撮影者は第２表示手段に表示されている撮影画像を見ながら撮影することができる。
【０００９】
また、前記制御手段は、前記カメラモードであって、且つ前記折畳状態検出手段により前記折畳状態が検出されない場合に、前記第２表示手段にも前記カメラの撮影画像を表示させることを特徴とする。  
よって、折畳状態が検出されない場合、例えば開放状態と判定されている場合には、第２表示手段にも撮影画像が表示されて、撮影者は第１表示手段を通じて撮影画像を確認することができ、被撮影者は第２表示手段を通じて撮影画像を確認することができる。
【００１０】
また、前記ヒンジ機構は、前記第１筐体と前記第２筐体との回転軸方向に前記第１筐体と前記第２筐体とを互いにスライドさせるスライド機構を有しており、前記第１筐体と前記第２筐体とを互いに前記回転軸方向へスライドさせた状態で、前記第１表示手段と前記第２表示手段とが略同一平面となるように前記第１筐体と前記第２筐体とを相対回転可能とすることを特徴とする。  
よって、スライド機構により第１筐体と第２筐体とを互いにスライドさせると共に軸方向に併設して、第１表示手段と第２表示手段とを略同一平面上に位置させることができる。
【００１１】
また、前記ヒンジ機構は、前記回転軸を複数有し、当該複数の回転軸が併設されていることを特徴とする。  
よって、第１表示手段と第２表示手段とをより同一平面上に配置させることができる。
【００１２】
また、前記制御手段は、前記第１表示手段と前記第２表示手段とが略同一平面上に配設されるときに、前記第１表示手段と前記第２表示手段とを作動状態とすることを特徴とする。  
よって、第１表示手段と第２表示手段とにより多くの情報を略同一平面上に表示させることができる。
【００１３】
また、前記制御手段は、前記第１表示手段と前記第２表示手段とが略同一平面上に配設されるときに、前記第１表示手段と前記第２表示手段とを１つの表示手段として前記各種情報を表示させることを特徴とする。  
よって、第１表示手段と第２表示手段とを1つの表示手段として各種情報を表示できるので、各種機能に応じて各種情報をより適性に表示させることができる。
【００１４】
また、前記制御手段は、１つの情報を前記第１表示手段と前記第２表示手段とに分けて表示させることを特徴とする。  
よって、１つの情報を第１表示手段と第２表示手段とに好適に表示させることができる。
【００１５】
また、前記１つの情報は、複数に分割可能に構成されており、前記制御手段は、分割された前記１つの情報を前記第１表示手段と前記第２表示手段とに順次表示させることを特徴とする。  
よって、１つの情報における分割された複数の情報を第１表示手段と第２表示手段とに順次表示させることができ、１つの情報をより好適に表示させることができる。
【発明の効果】
【００１６】
本発明の携帯端末装置によれば、折畳状態などの携帯端末装置の各種状態に応じて、第１筐体の表面部に配設される第１表示手段と、第２筐体の裏面部に配設される第２表示手段とを好適に作動させることができ、より多くの情報を適正に表示させることができる。
【発明を実施するための最良の形態】
【００１７】
以下、本発明の実施形態を図面に基づいて詳細に説明する。  
図１は本発明の携帯端末装置の一例である携帯電話機の概観斜視図、図２は該携帯電話機の各種状態を示す概観正面図、図３は該携帯電話機におけるヒンジ機構の断面図、図４は該携帯電話機における画面作動機構を示すブロック図、図５及び図６は該携帯電話機における制御フローチャートを示す図、図７は該携帯電話機の変形実施形態を示す図である。
【００１８】
図１（ａ）に示されるように、携帯端末機の一種である携帯電話機１は、操作部側筐体部（第２筐体）２と表示部側筐体部（第１筐体）３とを備えて構成される。そして、操作部側筐体部２は、表面部２１に、各種設定や電話帳機能やメール機能などの各種機能を作動させるための機能設定操作ボタン４１や、電話番号の数字やメールなどの文字などを入力するための入力操作ボタン４２や、携帯電話機１の使用者が通話時に発した音声が入力される音声入力部４３などを備えて構成される。また、表示部側筐体３は、表面部３１に、各種情報を表示するためのメインディスプレイ（第１表示手段）６１と、通話相手側の音声を出力する音声出力部５１とを備えて構成されている。
【００１９】
また、操作部側筐体２の上端部と表示部側筐体３の下端部とは、ヒンジ機構７を介して連結されており、操作部側筐体２と表示部側筐体３とは、図１（ｂ）に示されるように、操作部側筐体２の表面部２１と表示部側筐体３の表面部３１とが対向して折り畳み可能に構成されている。  
操作部側筐体２の裏面部２２には、各種情報を表示するためのサブディスプレイ（第２表示手段）６２が配設されている。そして、表示部側筐体３の表面部３１に配設されたメインディスプレイ６１と、操作部側筐体２の裏面部２２に配設されたサブディスプレイ６２とにより構成されたディスプレイ６によって、各種機能等に係る各種情報が表示されるように構成されている。
【００２０】
ヒンジ機構７を介して連結された操作部側筐体２と表示部側筐体３とを相対的に回転させることにより、携帯電話機１の状態を、図１（ａ）に示されるように操作部側筐体２と表示部側筐体３とを互いに開いた開放状態と、図１（ｂ）に示されるように操作部側筐体２と表示部側筐体３とを折り畳んだ折畳状態とに選択的に設定することができる。
【００２１】
携帯電話機１が開放状態にあるとき、メインディスプレイ６１には、各種機能が非作動時で操作キー４１，４２が非操作状態にあるときには待受け画面として待受け画像が表示される。また、各種機能が作動しているときや操作キー４１，４２の操作時には機能や入力操作に応じた各種情報が表示され、例えば、電話をかける場合には入力された電話番号が表示されたりアドレス帳が表示され、メール機能の作動中はメール本文などが表示される。このように、開放状態では、使用者は操作キー４１，４２を操作する際にメインディスプレイ６１を見ながら文章等の必要な入力操作を行うことができる。  
なお、開放状態では、各種情報はメインディスプレイ６１に表示されるので、操作部側筐体２の裏面部２２に配設されているサブディスプレイ６２は非表示状態となっている。
【００２２】
一方、携帯電話機１を携帯する場合には、図１（ｂ）に示されるように、操作部側筐体２と表示部側筐体３とを互いに折り畳んだ折畳状態にされる。これにより、携帯電話機１の長さが開放状態の約半分程度とコンパクトになり、持ち運びが簡単になる。この場合に、表示部側筐体３が操作部側筐体２の操作キー４１，４２上に折り重なるように配置されるので、カバンやポケットに入れて携帯している最中に、誤って操作キー４１，４２が押されて発信されたり、電力消費されたりする不都合が回避される。
【００２３】
この折畳状態では、表示部側筐体３のメインディスプレイ６１が操作部側筐体２の表面部２１に対面した位置に配置されているため、時刻、バッテリ残量、受信感度状態、着信状態などの各種情報をメインディスプレイ６１に表示させても折畳状態のままでは確認することができない。それ故に、折畳状態では、メインディスプレイ６１は表示手段として機能しないため、非作動状態とされる。そして、折畳状態では、これら情報を操作部側筐体２の裏面部２２に配設されているサブディスプレイ６２に表示させることにより、使用者はこれら情報を折畳状態でも簡単に確認することができる。
【００２４】
このように、携帯電話機１が開放状態にあるときには、メインディスプレイ６１が表示状態、サブディスプレイ６２が非表示状態となり、折畳状態にあるときには、メインディスプレイ６１が非表示状態、サブディスプレイ６２が表示状態となる。なお、消費電力を抑制するために、長時間の不使用時には表示状態となっているメインディスプレイ６１又はサブディスプレイ６２を非表示状態とするようになっている。
【００２５】
また、携帯電話機１の表示部側筐体３の裏面部３２には、カメラ５２が配設されている。このカメラ５２は、カメラ５２が起動されたカメラモードにあるときに、機能操作キー４１や操作部側筐体２の側面部２３，２４に配設されている図示しない操作手段８３を操作することにより撮影することが可能に構成されている。  
携帯電話機１がカメラモードにあるときに、開放状態であれば、カメラ５２によって撮影された画像が表示部側筐体３のメインディスプレイ６１に表示され、折畳状態であれば同画像が操作部側筐体２の裏面部２２に設けられているサブディスプレイ６２に表示される。よって、カメラモードのときには、撮影画像が携帯電話機１の状態に応じてメインディスプレイ６１とサブディスプレイ６２とのいずれかに表示される。
【００２６】
また、携帯電話機１は、図示しないテレビ用アンテナが設けられており、このアンテナで受信したテレビの画像情報をメインディスプレイ６１又はサブディスプレイ６２の少なくとも一方に表示させるとともに、受信した音声情報を図示しないスピーカーから出力するテレビ機能を備えている。  
携帯電話機１がＴＶモードにあるときに、開放状態であれば、テレビ機能によって受信したテレビ画像が表示部側筐体３のメインディスプレイ６１に表示され、折畳状態であれば同画像が操作部側筐体２の裏面部２２に設けられているサブディスプレイ６２に表示される。よって、ＴＶモードのときにも、テレビ画像が携帯電話機１の状態に応じてメインディスプレイ６１とサブディスプレイ６２とのいずれかに表示される。
【００２７】
本実施形態における携帯電話機１は、ヒンジ機構７が操作部側筐体２と表示部側筐体とを互いに軸方向にスライド可能とするスライド機構を有する構成となっている。そして、携帯電話機１は、図２（ａ）に示される開放状態から、表示部側筐体３に対して操作部側筐体２をヒンジ機構７の軸方向（図２中の左方向）へ図２（ｂ）に示されるようにスライドさせることができ、この図２（ｂ）の状態から操作部側筐体２を表示部側筐体３に対してヒンジ軸周りに回転させると、図２（ｃ）に示されるように、操作部側筐体２が表示部側筐体３の軸方向に併設されるスライド状態となる。  
この図２（ｃ）で示されるスライド状態では、表示部側筐体３の表面部３１に配設されているメインディスプレイ６１と操作部側筐体２の裏面部２２に配設されているサブディスプレイ６２とがヒンジ軸の軸方向に並んで略同一平面上に配置されることとなる。
【００２８】
次に、ヒンジ機構７の詳細構造について説明する。図３（ａ）は、携帯電話機１が折畳状態又は開放状態にあるときのヒンジ機構７の状態を示す断面図であり、図３（ｂ）は、スライド状態にあるときのヒンジ機構７の状態を示す断面図である。  
ヒンジ機構７は、外筒部７１と、該外筒部７１の内周孔に相対回転可能に嵌合する中筒部７２と、中筒部７２の内周孔に相対回転可能に嵌合する内筒部７３有して構成されている。そして、外筒部７１の外周部が表示部側筐体３の端部に固定され、内筒部７３の軸方向一端部が操作部側筐体２の側部からヒンジ軸と直行する方向に突出して配設されている突出部４５の側面に固定されている。このようなヒンジ機構７の構成により、操作部側筐体２と表示部側筐体３とがヒンジ機構７のヒンジ軸を中心として相対回転可能に構成されている。
【００２９】
また、ヒンジ機構７の内筒部７３の外周部及び中筒部７２の外周部には係合突部７４，７５が固設されており、この突部７４，７５に対向した中筒部７２と外筒部７１の内周面には突部７４，７５が係合する凹部７６ａ，７６ｂ，７７ａ，７７ｂがそれぞれ軸方向に離れて形成されている。よって、図３（ａ）に示される開放状態から操作部側筐体２が軸方向（図３中の左方向）へスライドされると、内筒部７３の突部７４が中筒部７２の一方の凹部７６ａとの係合が解除されて他方の凹部７６ｂと係合するまでスライドする。更に操作部側筐体２がスライドされると、中筒部７２の突部７５が外筒部７１の一方の凹部７７ａとの係合が解除されて他方の凹部７７ｂと係合するまでスライドする。このように構成されたヒンジ機構７によって、操作部側筐体２と表示部側筐体３とは、図３（ａ）に示す状態で折畳状態と開放状態の間で相対回転可能とされるとともに、図３（ａ）に示す開放状態と図３（ｂ）に示すスライド状態との間でスライド可能とされる。
【００３０】
なお、ヒンジ機構７は、携帯電話機１が開放状態にあるときにのみスライド可能とするスライド規制手段（図示省略）や、図３（ｃ）に示すスライド状態から更にスライドすることを規制するストッパ（図示省略）を備えている。  
また、図３中に太線で示されるように、ヒンジ機構７の内筒部７３の内部には操作部側筐体２と表示部側筐体３とを通信接続するための通信線７８が螺旋状に配設されており、図３（ｂ）に示されるように、スライド状態でも通信線７８により操作部側筐体２と表示部側筐体３とが通信接続可能に構成されている。なお、ヒンジ機構７の端部（図３における右端部）には蓋部材７９が設けられている。
【００３１】
携帯電話機１が折畳状態、開放状態、スライド状態の何れの状態にあるのかを検出するために、折畳状態を検出する折畳検出スイッチ８１とスライド状態を検出する伸縮スイッチ８２とを有する。  
折畳検出スイッチ８１は、図１（ａ）に示されるように、操作部側筐体２の表面部２１に設けられた孔部８１ａに表示部側筐体３の表面部３１に設けられた突部８１ｂが挿入されるとＯＮ状態となるように構成される。  
また、伸縮検出スイッチ８２は、図１（ａ）に示されるように、操作部側筐体２の表面部２１の側端部に設けられた溝部８２ａに表示部側筐体３の側面部３３に設けられた突部８２ｂが嵌挿されるとＯＮ状態となるように構成される。
【００３２】
そして、折畳検出スイッチ８１がＯＮ状態で且つ伸縮検出スイッチ８２がＯＦＦ状態であることが検出されると、携帯電話機１が折畳状態にある判定される。また、折畳検出スイッチ８１がＯＦＦ状態で且つ伸縮検出スイッチ８２のＯＮ状態が検出されると、携帯電話機１がスライド状態にあると判定される。  
なお、折畳検出スイッチ８１と伸縮検出スイッチ８２との両方のスイッチがＯＦＦ状態である場合には、携帯電話機１が折畳状態でもなくスライド状態でもない、即ち開放状態にあると判定される。なお、携帯電話装置１が折畳状態と開放状態との間や、開放状態とスライド状態との間の状態である場合にも両スイッチ８１，８２はＯＦＦ状態となって、携帯電話機１は開放状態にあると判定される。
【００３３】
図４には、操作部側筐体２のメインディスプレイ６１と表示部側筐体３のサブディスプレイ６２との表示機能を制御するための構成ブロック図が示されている。  
操作部側筐体２の内部には、メインディスプレイ６１を駆動する第１画面駆動部９１と、サブディスプレイ６２を駆動する第２画面駆動部９２と、第１画面駆動部９１と第２画面駆動部９２との駆動状態を制御するとともに各ディスプレイに表示させる画像データを入手して、該画像データを第１画面駆動部９１と第２画面駆動部９２との少なくとも一方に伝送する表示演算部９３などを有する制御手段９が配設されており、当該制御手段９によって両ディスプレイ６１，６２の作動が制御されている。  
また、表示演算部９３は、折畳検出スイッチ８１と伸縮検出スイッチ８２との検出結果が入力され、これらスイッチの検出結果に応じて携帯電話機１が、折畳状態、開放状態、又はスライド状態に何れの状態にあるかを判定し、判定した状態に応じて第１画面駆動部９１及び第２画面駆動部９２の駆動状態を制御するとともに、メインディスプレイ６１とサブディスプレイ６２との表示状態を制御する。
【００３４】
次に、本実施形態における携帯電話機１のディスプレイ６の画面表示制御について、図５，６に示されるフローチャートに基づき説明する。  
まず、ステップＳ１にて、カメラ機能などの携帯電話機１における各種機能の作動状態や折畳検出スイッチ８１及び伸縮検出スイッチ８２の検出結果などの各種情報を入力する。そして、次のステップＳ２では、携帯電話機１が折畳状態であるか否かを判定する。ここでは、折畳検出スイッチ８１がＯＮ状態で且つ伸縮検出スイッチ８２がＯＦＦ状態であることが検出された場合には、折畳状態であると判定し、ステップＳ３に進む。ステップＳ３では、カメラモードであるか否かが判定され、カメラ機能が作動されてカメラモードに設定されている場合には、ステップＳ４に進み、サブディスプレイ６２のみを起動して、該サブディスプレイ６２をカメラ５２によって撮影された画像を表示させるカメラ画像表示とする。ステップＳ３にてカメラモードではないと判定されると、サブディスプレイ６２のみを起動して、該サブディスプレイ６２を時刻、着信状態、バッテリ残量やアンテナ受信感度量などの待受け情報やメール本文や各種情報を表示する通常表示とする。
【００３５】
ステップＳ２にて折畳状態でないと判定されると、ステップＳ６に進み、携帯電話機１が開放状態であるか否かが判定される。ステップＳ６にて開放状態であると判定される、即ち折畳検出スイッチ８１及び伸縮検出スイッチ８２が共にＯＦＦ状態であると、次のステップＳ７ではステップＳ３同様にカメラモードであるか否かが判定され、カメラモードと判定されるとステップＳ８に進み、メインディスプレイ６１とサブディスプレイ６２との両サブディスプレイを起動して、それぞれの画面にカメラ５２の撮影画像を表示させるカメラ画像表示とする。このように、開放状態におけるカメラモードでは、両方のディスプレイ６１，６２に撮影画像を表示することにより、撮影者はメインディスプレイ６１で撮影画像を確認することができるとともに、被撮影者はサブディスプレイ６２で撮影画像を確認することができる。
【００３６】
また、ステップＳ７でカメラモードでないと判定されると、ステップＳ９に進み、メインディスプレイ６１のみを起動して、ステップＳ５同様に通常表示とする。  
なお、開放状態におけるカメラモードでは、メインディスプレイ６１とサブディスプレイ６２との両方を表示させるようにしたが、メインディスプレイ６１のみを起動して撮影画像を表示させるようにしてもよい。  
ステップＳ６にて携帯電話機１が開放状態にないと判定されると、ステップＳ１０に進み、携帯電話機１がスライド状態にあるか否かが判定される。ここで、折畳検出スイッチ８１がＯＦＦ状態で且つ伸縮検出スイッチ８２がＯＮ状態にあることが検出されると、携帯電話機１がスライド状態にあると判定され、ステップＳ１１に進む。
【００３７】
ステップＳ１１では、携帯電話機１がカメラモードであるか否かが判定され、カメラ５２が起動されたカメラモード状態にあると判定されると、ステップＳ１２に進み、メインディスプレイ６１とサブディスプレイ６２との両ディスプレイを起動し、両ディスプレイを１つのディスプレイとしてカメラ５２によって撮影された画像を両ディスプレイ６１，６２に一体表示させる。よって、撮影画像を、両ディスプレイ６１，６２に一体表示することにより、メインディスプレイ６１又はサブディスプレイ６２の一方のみに表示する場合に比して、撮影者はより拡大された画像を見ることができる。
【００３８】
また、ステップＳ１１にてカメラモードではないと判定されると、ステップＳ１３に進み、携帯電話機がＴＶモードであるか否かが判定される。ここでテレビ機能が起動されてＴＶモードにあると判定されると、ステップＳ１４に進み、テレビ機能によるテレビ画像を両ディスプレイ６１，６２に一体表示させる。よって、テレビ画像を、両ディスプレイ６１，６２に一体表示することにより、メインディスプレイ６１又はサブディスプレイ６２の一方のみに表示する場合に比して、使用者はより拡大されたテレビ画像を見ることができる。
【００３９】
ステップＳ１３にて、ＴＶモードではないと判定されると、ステップＳ１５に進み、携帯電話機１の表示モードとしてメインディスプレイ６１とサブディスプレイ６２とを１つのディスプレイとして一体表示させる一体表示モードが選択されているか否かが判定され、一体表示モードが選択されていると判定されると、ステップＳ１６に進み、メインディスプレイ６１とサブディスプレイ６２とを一体表示させる。この場合、両ディスプレイ６１,６２は通常表示となる。
【００４０】
ステップＳ１５にて、一体表示モードが選択されていないと判定されると、ステップＳ１７に進み、メインディスプレイ６１とサブディスプレイ６２とが個別表示となる。例えば、メインディスプレイ６１にメール本文を表示させ、サブディスプレイ６２には入力用文字列を表示させる。または、メインディスプレイ６１にアドレス帳の登録者リストを表示させ、サブディスプレイ６２には該登録者のうちの一人の個人情報を表示させる。このように、それぞれのディスプレイ６１，６２には、個別に各種情報が表示されることとなる。
【００４１】
そして、ステップＳ４，Ｓ５，Ｓ８，Ｓ９，Ｓ１２，Ｓ１４，Ｓ１６，Ｓ１７が終了するとリターンされて、再度同じフローチャートが繰り返し行われる。  
なお、ステップＳ１０にてスライド状態でない、即ち折畳検出スイッチ８１がＯＮ状態で且つ伸縮検出スイッチ８２がＯＮ状態にあると判定されると、携帯電話装置１の状態を判別できないエラー状態と判定し、両ディスプレイ６１，６２には何も表示させることなくリターンさせる。
【００４２】
以上説明したように、本実施形態の携帯電話機１は、表示部側筐体３の表面部３１にメインディスプレイ６１を配設するとともに、操作部側筐体２の裏面部２２にサブディスプレイ６２を配設した構成であるので、携帯電話機１が折畳状態にあるときにも解放状態にあるときにも各種情報を好適に少なくとも一方のディスプレイに表示させることができる。また、操作部側筐体２の裏面部２２にサブディスプレイ６２が配設されているので、折畳状態でも各種情報をサブディスプレイ６２に表示させることができ、折畳状態や解放状態に応じてメインディスプレイ６１が設けられている表示部側筐体３を回転させる必要がない。
【００４３】
特に、表示部側筐体３の裏面部３２にカメラ５２が配設される場合には、折畳状態でカメラ５２を使用する際にも、操作部側筐体２の裏面部２２に設けられたサブディスプレイ６２に撮影画像を表示させることができるとともに、開放状態で使用する際には、メインディスプレイ６１に撮影画像を表示させることはもちろんのこと、サブディスプレイ６２にも撮影画像を表示させることにより被撮影者にも撮影画像を表示させることができる。
【００４４】
また、ヒンジ機構７にスライド機構を設けたので、操作部側筐体２と表示部側筐体３とを軸方向に併設したスライド状態として、表示部側筐体３の表面部３１に配設されたメインディスプレイ６１と操作部側筐体２の裏面部２２に配設されたサブディスプレイ６２とを軸方向に併設することができる。この状態において、メインディスプレイ６１とサブディスプレイ６３とを一体表示させたり個別の情報を並べて表示させたりすることができる。
【００４５】
なお、メインディスプレイ６１とサブディスプレイ６１とは、スライド状態で互いに近接するように、表示部側筐体３の表面部３１と操作部側筐体２の裏面部２２にそれぞれ配設されるようにしたほうが好ましい。  
また、ディスプレイ６１，６２に表示されている情報の入力は、操作部側筐体２の表面部２１に配置されている操作キーの操作や、ディスプレイの画面へのタッチ操作によっても画面操作や文字入力が行われるように構成されている。
【００４６】
次に、本発明の携帯端末装置の他の実施形態について説明する。  
上述した実施形態における携帯電話機１では、ヒンジ機構７がヒンジ軸を１本のみ有している構成であり、折畳状態とするために、ヒンジ軸は操作部側筐体２及び表示部側筐体３に対してそれぞれ表面部２１，３１側にずれた位置に位置されている。このように、ヒンジ軸を１本として表面部側にずらして配置させてスライド機構を構成した場合、スライド状態では表示部側筐体３の表面部３１と操作部側筐体２の裏面部２２とを同一平面状に位置させることが困難である。
【００４７】
そこで、本変形実施形態では、ヒンジ機構７´がヒンジ軸を複数有して構成されている。詳細には、図７に示されるように、操作部側筐体２の一端に第１ヒンジ軸１１が設けられ、表示部側筐体３の一端に第２ヒンジ軸１２が設けられ、第１ヒンジ軸１１と第２ヒンジ軸１２とが第３ヒンジ軸とによって連結されている。第１ヒンジ軸１１は操作部側筐体２と第３ヒンジ軸１３とを相対回転可能に連結し、第２ヒンジ軸１２は表示部側筐体３と第３ヒンジ軸１３とを相対回転可能に連結し、第３ヒンジ軸１３は第１ヒンジ軸１１と第２ヒンジ軸１２とを相対回転可能に連結するとともにスライド機構を有している。
【００４８】
よって、携帯電話機１が折畳状態にある時には、図７（ａ）に実線で示されるように、ヒンジ機構７´の各ヒンジ軸１１〜１３が互いに回転し、操作部側筐体２の表面部２１と表示部側筐体３の表面部３１とが互いに対面した状態となり、開放状態にある時には、図（ａ）に破線で示されるように、ヒンジ機構７´の各ヒンジ軸１１〜１３が互いに回転し、操作部側筐体２の表面部２１と表示部側筐体３の表面部３１とが略同一平面上に位置する状態となる。
【００４９】
さらに、この開放状態からヒンジ軸１３を軸方向にスライドさせるととともにヒンジ軸１３を中心として表示部側筐体３と操作部側筐体２とを互いに相対回転させることにより、図７（ｂ）に示されるように、操作部側筐体２と表示部側筐体３とが軸方向に併設されることとなる。この場合、ヒンジ機構７´をヒンジ軸を３つ備えた構成としたことにより、表示部側筐体３の表面部３１と操作部側筐体２の裏面部２２とを同一平面上に配置させることができ、表示部側筐体３の表面部３１に配置されているメインディスプレイ６１と操作部側筐体２の裏面部２２に配置されているサブディスプレイ６２とをより平面的に位置させることができる。
【００５０】
このように、ヒンジ機構７´のヒンジ軸を３つ配置することにより、スライド状態で２つのディスプレイをより平面的に配置させることができる。  
なお、本変形実施形態は、ヒンジ軸を３つとした構成であるが、ヒンジ軸を２つ以上配置する構成とすればよい。ヒンジ軸を２つ配置する構成では、スライド状態において、操作部側筐体２と表示部側筐体３との高さがずれる可能性があるが、操作部側筐体２の裏面部２２と表示部側筐体３の表面部３１とを同一平面上に配置させることができる。
【００５１】
以上で本発明の携帯端末装置についての説明を終了するが、本発明は上述した実施形態に限定されるものではなく、本発明を逸脱しない範囲で変更可能である。  
例えば、上記実施形態では、携帯端末装置として携帯電話装置１に適用した例を示したが、この適用に限定されることなく、他の折りたたみ式携帯端末装置に適用することも可能である。  
また、スライド機構の構成は、上述した構成に限定されることなく、操作部側筐体２と表示部側筐体３とを軸方向に併設することを可能とした構成であればよい。  
また、上記実施形態では、携帯端末装置の状態を検出する手段として、折畳検出スイッチ８１と伸縮検出スイッチ８２とを備えていたが、この構成に限定されることなく、携帯端末装置の状態（折畳状態、開放状態、スライド状態）を検出できる構成であればよい。そして、検出した携帯端末装置の状態に応じてメインディスプレイ６１とサブディスプレイ６２の起動及び表示内容を制御するように構成すればよい。
【００５２】
また、スライド状態におけるメインディスプレイ６１とサブディスプレイ６２とに一体的に表示させる１つの情報の一例として、テレビ画像情報を説明したが、この例に限定されることなくいろいろな情報を一体的に表示させることが可能である。  
例えば、電子書籍の書籍情報をメインディスプレイ６１とサブディスプレイ６２とに一体的に表示させることも可能である。この場合、書籍情報はページ毎に分割された情報で構成されているため、この分割されたページごとの書籍情報をメインディスプレイ６１とサブディスプレイ６２とにそれぞれ順次表示させればよい。例えば、右側に配置されるメインディスプレイ６１にｎページ目の書籍情報を表示させ、左側に配置されるサブディスプレイ６２にｎ＋１ページ目の書籍情報を表示させ、操作部側筐体２と表示部側筐体３との少なくとも一方に配設されている図示しない操作手段８３によりページ捲り操作が行われると、メインディスプレイ６１にｎ＋２ページ目の書籍情報を、またサブディスプレイ６２にｎ＋３ページ目の書籍情報を表示させて、通常の書籍のように書籍情報を順次表示させるように構成すればよい。または、ページめくり操作により、メインディスプレイ６１にｎ＋１ページ目の書籍情報を、またサブディスプレイ６２にｎ＋２ページ目の書籍情報を表示させて、１ページ毎の書籍情報をスライドさせて順次表示させるように構成してもよい。なお、ページ毎に情報を順次表示させるだけでなく、１行毎の書籍情報を順次スライドさせて表示させるように構成してもよい。  
このように、１つの情報をメインディスプレイ６１とサブディスプレイ６２とに一体的に表示させる一体表示モードでは、当該1つの情報が複数に分割されている場合には、この分割情報を両ディスプレイ６１，６２に順次表示させるように構成すれば良い。
【図面の簡単な説明】
【００５３】
【図１】本発明の携帯端末装置に係る実施形態を示す外観斜視図である。
【図２】本発明の携帯端末装置に係る実施形態の正面図である。
【図３】本発明の携帯端末装置に係る実施形態の部分拡大断面図である。
【図４】本発明の携帯端末装置に係る実施形態における画面制御構成を示すブロック図である。
【図５】本発明の携帯端末装置に係る実施形態の制御方法を示すフローチャート図である。
【図６】本発明の携帯端末装置に係る実施形態の制御方法を示すフローチャート図である。
【図７】本発明の携帯端末装置に係る変形実施形態を示す外観側面図である。
【符号の説明】
【００５４】
１  携帯電話機（携帯端末装置）、２  操作部側筐体、３  表示部側筐体、６  ディスプレイ、６１  メインディスプレイ、６２  サブディスプレイ、７，７´  ヒンジ機構、８１  折畳検出スイッチ、８２  伸縮検出スイッチ、９  制御手段
【図１】
2006166339.tif 000003
【図２】
2006166339.tif 000004
【図３】
2006166339.tif 000005
【図４】
2006166339.tif 000006
【図５】
2006166339.tif 000007
【図６】
2006166339.tif 000008
【図７】
2006166339.tif 000009